(57)【要約】【課題】投入した客土から良好に排水されるのに加え、客土が洗掘・流出された場合であっても、胴込め材の洗掘・流出を防止することができる擁壁、及び当該擁壁を施工する方法を提供する。【解決手段】客土領域Ｒの底部は、客土Ｇを通過させることなく水を通過させることができ、所要の強度を有するシート又はマット状の敷部材２０で塞止してあり、胴込め材Ｄの客土領域Ｒの底部部分に被覆させた敷部材２０は、客土領域Ｒの幅寸法と略同じ長さ寸法及び客土領域Ｒの深さ寸法より小さい高さ寸法を有する矩形ブロック状の複数の押さえ部材１７によって上方から押さえて固定してある。【選択図】図１
2005139753.tif 000002
【特許請求の範囲】
【請求項１】
上下部開口を設けた筒状のブロック本体内は、下部開口から適宜距離を隔てて縦に配設した仕切り壁で仕切られており、このブロック本体内に胴込め材を、下部開口から仕切り壁の下端部分まで投入することによって、前記ブロック本体、仕切り壁及び胴込め材で囲まれた客土領域が形成してあり、この客土領域に客土が投入してある擁壁において、
前記胴込め材の前記客土領域の底部部分上に透水性の敷部材が敷設してあり、この敷部材を固定部材によって固定してあることを特徴とする擁壁。
【請求項２】
前記敷部材は、対応する縁部が前記仕切り壁の客土領域に臨む部分に当接するか、又は仕切り壁に近接するように敷設してある請求項１記載の擁壁。
【請求項３】
前記固定部材はブロック状の押さえ部材であり、この押さえ部材を敷部材上に載置することによって敷部材を固定してある請求項１又は２記載の擁壁。
【請求項４】
前記仕切り壁及び／又はブロック本体の客土領域に臨む部分に、前記押さえ部材の一部を嵌入させる溝が設けてある請求項３記載の擁壁。
【請求項５】
前記固定部材は適宜寸法の脚部を具備する打込部材であり、この打込部材を前記敷部材の適宜位置に、敷部材を貫通して胴込め材内まで打込むことによって敷部材を固定してある請求項１又は２記載の擁壁。
【請求項６】
上下部開口を設けた筒状をなし、その内部が、下部開口から適宜距離を隔てて縦に配設した仕切り壁で仕切られたブロック本体内を用い、このブロック本体内に胴込め材を、下部開口から仕切り壁の下端部分まで投入することによって、前記ブロック本体、仕切り壁及び胴込め材で囲まれた客土領域を形成し、この客土領域に客土を投入して擁壁を施工する方法において、
前記胴込め材の前記客土領域の底部部分上に透水性の敷部材を敷設し、この敷部材を固定部材によって固定することを特徴とする擁壁施工方法。
【発明の詳細な説明】
【技術分野】
【０００１】
本発明は、法面の崩落を防止する擁壁、及びこの擁壁を施工する方法に関する。
【背景技術】
【０００２】
図１０は、後記する特許文献１に開示された擁壁を示す側断面図であり、図中、100は擁壁の施工に用いる植栽用ブロックである。植栽用ブロック100はブロック本体120を備えている。このブロック本体120は、擁壁の表面側に配置される前壁123と、施工地の法面側に配置される後壁124との間を図示しない２つの側壁で連結した四角形筒状をしており、後壁124の高さ寸法は前壁123の高さ寸法より低い。また、各側壁はそれぞれ、前壁123から後壁124側へ、前壁123の高さ寸法と同じ高さ寸法で所定距離だけ延設した後、後壁124の高さ寸法と同じ高さにした段差部を経て後壁124に連結させてある。
【０００３】
前壁123と後壁124との間には、ブロック本体120内を前後に仕切る複数の客土仕切り壁130が、相隣る側壁上に載置してあり、客土仕切り壁130の底部近傍には、客土仕切り壁130と前壁123との間の客土領域に投入された客土200を受けるベース板140が配置してある。
【０００４】
かかるブロック本体120、客土仕切り壁130及びベース板140等によって構成された植栽用ブロック100を用いて擁壁を施工するには、基準面上に載置したブロック本体120の内部及びブロック本体120の後壁124と法面との間に、栗石又は砕石等の胴込め材及び裏込め材を側壁の下段より低い位置まで敷置した後、ブロック本体120内の前述した客土領域には客土200を、ブロック本体120内の他の領域及びブロック本体120の後壁124と法面との間には胴込め材及び裏込め材を、それぞれ前壁123上面の位置まで投入し、表面を基準面に整地する。そして、この栗石又は砕石による基準面上に次段のブロック本体120を階段状に載置し、前同様の操作を行って次段の植栽用ブロック100を施工する。このような操作を所要段数繰り返すことによって、擁壁を施工していた。
【０００５】
【特許文献１】特開平８−１２０６９３号公報（図４）
【発明の開示】
【発明が解決しようとする課題】
【０００６】
しかしながら、このような従来の擁壁にあっては、植栽用ブロック100の客土領域に投入された客土200をベース板140によって受けているため、客土200からの排水性が悪く、客土200に植裁された植物に生育不良が発生するという問題があった。一方、従来の擁壁を護岸に用いた場合、増水時に前述した客土領域に浸入した流水によって客土200が洗掘・流出されてベース板140が変位すると、擁壁の一部を構成すべくブロック本体120内に投入した胴込め材が洗掘・流出されるため、擁壁の強度が低下し、更に、胴込め材の流出量が多い場合、擁壁が崩壊する虞があった。
【０００７】
本発明は、斯かる事情に鑑みてなされたものであって、投入した客土から良好に排水されるのに加え、客土が洗掘・流出された場合であっても、胴込め材の洗掘・流出を防止することができる擁壁、及び当該擁壁を施工する方法を提供する。
【課題を解決するための手段】
【０００８】
請求項１記載の本発明は、上下部開口を設けた筒状のブロック本体内は、下部開口から適宜距離を隔てて縦に配設した仕切り壁で仕切られており、このブロック本体内に胴込め材を、下部開口から仕切り壁の下端部分まで投入することによって、前記ブロック本体、仕切り壁及び胴込め材で囲まれた客土領域が形成してあり、この客土領域に客土が投入してある擁壁において、前記胴込め材の前記客土領域の底部部分上に透水性の敷部材が敷設してあり、この敷部材を固定部材によって固定してあることを特徴とする。
【０００９】
請求項２記載の本発明は、前記敷部材は、対応する縁部が前記仕切り壁の客土領域に臨む部分に当接するか、又は仕切り壁に近接するように敷設してあることを特徴とする。
【００１０】
請求項３記載の本発明は、前記固定部材はブロック状の押さえ部材であり、この押さえ部材を敷部材上に載置することによって敷部材を固定してあることを特徴とする。
【００１１】
請求項４記載の本発明は、前記仕切り壁及び／又はブロック本体の客土領域に臨む部分に、前記押さえ部材の一部を嵌入させる溝が設けてあることを特徴とする。
【００１２】
請求項５記載の本発明は、前記固定部材は適宜寸法の脚部を具備する打込部材であり、この打込部材を前記敷部材の適宜位置に、敷部材を貫通して胴込め材内まで打込むことによって敷部材を固定してあることを特徴とする。
【００１３】
請求項６記載の本発明は、上下部開口を設けた筒状をなし、その内部が、下部開口から適宜距離を隔てて縦に配設した仕切り壁で仕切られたブロック本体内を用い、このブロック本体内に胴込め材を、下部開口から仕切り壁の下端部分まで投入することによって、前記ブロック本体、仕切り壁及び胴込め材で囲まれた客土領域を形成し、この客土領域に客土を投入して擁壁を施工する方法において、前記胴込め材の前記客土領域の底部部分上に透水性の敷部材を敷設し、この敷部材を固定部材によって固定することを特徴とする。
【発明の効果】
【００１４】
請求項１記載の本発明では、上下部開口を設けた筒状のブロック本体内に投入した胴込め材の客土領域の底部部分上に透水性の敷部材が敷設してあり、この敷部材を固定部材によって固定してあるため、客土領域に投入した客土から良好に排水されるのに加え、客土が洗掘・流出された場合であっても、胴込め材の洗掘・流出を防止することができる。
【００１５】
請求項２記載の本発明では、敷部材は、対応する縁部が仕切り壁の客土領域に臨む部分に当接するか、又は仕切り壁に近接するように敷設してあるため、敷部材の施工量を可及的に低減することができ、敷部材に要するコストを可及的に小さくすることができる。
【００１６】
請求項３記載の本発明では、固定部材はブロック状の押さえ部材であり、この押さえ部材を敷部材上に載置することによって敷部材を固定してあるため、比較的簡単な構成で敷部材を固定することができ、擁壁の施工に要するコストが上昇することを可及的に抑制することができる。
【００１７】
請求項４記載の本発明では、仕切り壁及び／又はブロック本体の客土領域に臨む部分に、押さえ部材の一部を嵌入させる溝が設けてあるため、押さえ部材は溝によってその姿勢が拘束され、流水に対する抵抗力がより強く、押さえ部材に位置ズレが発生することが防止される。
【００１８】
請求項５記載の本発明では、固定部材は適宜寸法の脚部を具備する打込部材であり、この打込部材を敷部材の適宜位置に、敷部材を貫通して胴込め材内まで打込むことによって敷部材を固定してあるため、更に簡単な構成で敷部材を固定することができ、擁壁の施工に要するコストが上昇することを更に抑制することができる。
【００１９】
請求項６記載の本発明では、上下部開口を設けた筒状をなし、その内部が、下部開口から適宜距離を隔てて縦に配設した仕切り壁で仕切られたブロック本体内を用いて擁壁を施工する場合、胴込め材の客土領域の底部部分上に透水性の敷部材を敷設し、この敷部材を固定部材によって固定するため、客土領域に投入した客土から良好に排水されるのに加え、客土が洗掘・流出された場合であっても、胴込め材の洗掘・流出を防止することができる。
【発明を実施するための最良の形態】
【００２０】
本発明は、擁壁を構成するブロック本体は、上下部開口を設けた筒状をなし、その内部は、下部開口から適宜距離を隔てて縦に配設した仕切り壁で仕切られている。このブロック本体内に栗石及び／又は砕石等を含む胴込め材を、下部開口から仕切り壁の下端又はその近傍の部分まで投入することによって、ブロック本体、仕切り壁及び胴込め材で囲まれた客土領域が形成してあり、この客土領域に客土が投入してある。そして、かかる胴込め材の客土領域の底部を構成する部分の上に、透水性の敷部材が敷設してあり、この敷部材を固定部材によって固定してある。なお、敷部材は、所要強度を有する不織布等で構成してなり、例えば、網目サイズを調整することによって、水は通過させるが、客土は通過させない構造にしてある。
【００２１】
この敷部材は、対応する縁部が仕切り壁の客土領域に臨む部分に当接するか、又は仕切り壁に近接するように敷設してある。すなわち、客土領域の底部と同じ形状及び面積の敷部材を胴込め材の客土領域の底部を構成する部分の上に敷設して、当該部分の全領域を覆うようにしてあるか、客土領域の底部と略同じ形状で面積が僅かに狭い敷部材を、胴込め材の客土領域の底部を構成する部分の上に敷設して、当該部分の略全てを覆うようにしてあるか、又は、客土領域の底部を包含し、それより広い面積の敷部材の少なくとも仕切り壁側の縁部を屈折させて、胴込め材の客土領域の底部を構成する部分の上に敷設して、当該部分の全領域を覆うようにしてある。
【００２２】
一方、前述した固定部材は梁形又は環形等のブロック状の押さえ部材であり、この押さえ部材を敷部材上に載置することによって敷部材を固定してある。
【００２３】
このとき、仕切り壁及び／又はブロック本体の客土領域に臨む部分に、押さえ部材の一部を嵌入させる溝を設けておき、該溝内に押さえ部材の一部を嵌入させておく。
【００２４】
また、前述した固定部材は適宜寸法の脚部を具備する打込部材にしてもよい。そして、この打込部材を敷部材の適宜位置に、敷部材を貫通して胴込め材内まで打込むことによって敷部材を固定してある。
【００２５】
ところで、本発明は、上下部開口を設けた筒状をなし、その内部が、下部開口から適宜距離を隔てて縦に配設した仕切り壁で仕切られたブロック本体内を用い、このブロック本体内に胴込め材を、下部開口から仕切り壁の下端部分まで投入することによって、ブロック本体、仕切り壁及び胴込め材で囲まれた客土領域を形成し、この客土領域に客土を投入して擁壁を施工する場合、胴込め材の前記客土領域の底部部分上に透水性の敷部材を敷設し、この敷部材を固定部材によって固定する。
【００２６】
以下、本発明に係る実施例を図面に基づいて詳述する。
【実施例１】
【００２７】
図１は、本発明に係る擁壁の模式的部分側断面図であり、図中、１は、客土Ｇを投入する植栽用ブロック、７は、客土を投入しない魚巣ブロックである。また、図２は、図１に示した擁壁における植栽用ブロック１の施工方法を平面視的に説明する説明図である。
【００２８】
図１及び図２に示した如く、擁壁は、水底から水面Ｗ近傍の位置までの領域に、複数段の魚巣ブロック７，７，…を法面に倣って階段状に積載し、最上段の魚巣ブロック７上に、複数段の植栽用ブロック１，１，…を階段状に積載して構成してある。魚巣ブロック７は、上部開口及び下部開口が設けてある矩形筒状のブロック本体７０を備えており、このブロック本体７０内に栗石・砕石等の相対的に大きなサイズの胴込め材Ｄが、またブロック本体７０と法面との間に栗石・砕石等の相対的に大きなサイズの裏込め材Ｕが投入してある。一方、植栽用ブロック１も、上部開口及び下部開口が設けてある筒状のブロック本体１０を備えている。両ブロック本体１０，７０の構造は略同じであるため、植栽用ブロック１のブロック本体１０を示す図面を用いてその構造を詳述する。
【００２９】
図３〜図７は、図２及び図１に示した植栽用ブロック１のブロック本体１０の平面図、背面図、一側面図、他側面図及び側断面図である。図３〜図７に示した如く、矩形筒状のブロック本体１０は、長方形状の前壁１１と、前壁１１の長さ寸法より短い長さ寸法及び前壁１１の高さ寸法より低い高さ寸法を有する長方形状の後壁１２との間を、厚肉部及び薄肉部を有する側壁１３，１３で連結してある。両側壁１３，１３は、厚肉部を前壁１１に、薄肉部を後壁１２にそれぞれ連結させてあり、両側壁１３，１３の内面は面一にしてある。従って、両側壁１３，１３の外面は前壁１１側が相対的に凸状に、後壁１２側が相対的に凹状になっている。
【００３０】
この側壁１３，１３の厚肉部の高さ寸法は、前壁１１の高さ寸法と略同じであり、図２に示した如く、両側に並設した他の植栽用ブロック１，１のブロック本体１０，１０に接合させる接合部１４，１４にしてある。そして、一方の接合部１４の側面には、半円棒状の接合用凸部１４ａが高さ方向の全領域に渡って、他方の接合部１４の側面には、接合用凸部１４ａが内嵌する半円筒状の接合用凹部１４ｂが高さ方向の全領域に渡って設けてある。
【００３１】
一方、両側壁１３，１３の厚肉部たる接合部１４，１４から後壁１２側へ延出した薄肉部は、接合部１４，１４から適宜寸法だけ接合部１４，１４の高さ寸法と同じ高さ寸法になした上段部と、それより後壁１２側の部分であって、接合部１４，１４の高さ寸法より低く、後壁１２の高さ寸法より高い高さ寸法になした下段部とを備える階段状にしてある。また、両側壁１３，１３の薄肉部には、側壁１３，１３を貫通する矩形の開口１３ａ，１３ａが設けてある。
【００３２】
これら側壁１３，１３の接合部１４，１４及び薄肉部の上段部の領域の適宜位置には、その上端から前記下段部の上端の高さ位置に渡る第１溝部１５，１５が、互いに対向するように凹設してあり、両第１溝部１５，１５内に、該第１溝部１５，１５の高さ寸法と略同じ高さ寸法を有する平板状の客土仕切り壁１６（図１及び図２参照）を嵌入固定するようになっている。
【００３３】
そして、図１及び図２に示した如く、本発明に係る擁壁の植栽ブロック１にあっては、最上段の魚巣ブロック７又は下段の植栽ブロック１上の適宜位置に、ブロック本体１０を載置し、栗石・砕石等の相対的に小さなサイズの胴込め材Ｄをブロック本体１０の底部から両第１溝部１５，１５の底部の高さ位置まで投入した後、客土仕切り壁１６を両第１溝部１５，１５内に嵌入固定し、客土仕切り壁１６、前壁１１、両側壁１３，１３及び胴込め材Ｄによって囲まれる客土領域Ｒ内に客土Ｇを投入してある。
【００３４】
この客土領域Ｒの底部は、客土Ｇを通過させることなく水を通過させることができ、所要の強度を有するシート状又はマット状の敷部材２０（例えば、キュアマットcc（アオイ化学株式会社製））で塞止してあり、これによって、投入した客土Ｇが胴込め材Ｄ中に流出することが防止されると共に、客土Ｇから良好に排水される。この敷部材２０は、本実施例では、客土領域Ｒの底部形状と略同じ形状及び略同じ面積にしてあり、胴込め材Ｄの客土領域Ｒの底部部分に被覆させた敷部材２０は、客土領域Ｒの幅寸法と略同じ長さ寸法及び客土領域Ｒの深さ寸法より小さい高さ寸法を有する矩形ブロック状の複数の押さえ部材（固定部材）１７，１７，…（図２では３つ）によって上方から押さえて固定してある。
【００３５】
すなわち、前述した客土仕切り壁１６の前壁１１に対向する面であって、客土仕切り壁１６の両端近傍の位置及びそれらの間の適宜位置には、押さえ部材１７，１７，…の厚さ寸法と略同じ幅寸を有し、客土仕切り壁１６の高さ方向の全領域に渡る第２溝１６ａ，１６ａ，…が、それぞれ設けてあり、各押さえ部材１７，１７，…は、その一端部を対応する第２溝１６ａ，１６ａ，…に摺動可能に嵌入して、敷部材２０に当接・載置するまで客土仕切り壁１６の下端側へ降下させてある。
【００３６】
このように、胴込め材Ｄの客土領域Ｒの底部部分を敷部材２０で覆うと共に、この敷部材２０を押さえ部材１７，１７，…と胴込め材Ｄとによって挟持固定しているため、増水によって客土Ｇが洗掘・流出された場合であっても、浸入した流水によって敷部材２０が変位することが防止され、胴込め材Ｄの洗掘・流出を防止することができる。
【００３７】
なお、本実施例では、客土領域Ｒの深さ寸法より小さい高さ寸法を有する矩形梁状の押さえ部材１７を用いているが、本発明はこれに限らず、客土領域Ｒの深さ寸法以上の高さ寸法であってもよい。また、本実施例では、矩形梁状の押さえ部材１７を用いているが、本発明はこれに限らず、客土領域Ｒの底部内寸と略同じ外寸を有する環形ブロック状の押さえ部材を客土領域Ｒの底部に内嵌させて、敷部材２０を押さえるようにしてもよい。更に、環形のブロック体の周囲に第２溝１６ａに嵌入させる凸部を設けた押さえ部材を用いてもよい。
【００３８】
一方、本実施例では、押さえ部材１７を嵌入させる第２溝１６ａは、客土仕切り壁１６に設けてあるが、本発明はこれに限らず、ブロック本体１０の前壁１１内面のみに、第２溝１６ａ，１６ａ，…に相当する複数の溝を設けるようにしてもよいし、また、客土仕切り壁１６には第２溝１６ａ，１６ａ，…を、前壁１１内面にはそれに相当する溝を設けるようにしてもよい。一方、客土仕切り壁１６及び前壁１１内面に押さえ部材１７を嵌入させる溝を設けなくてもよい。
【００３９】
ところで、本実施例では、ブロック本体１０の両側壁１３，１３に設けた第１溝部１５，１５に嵌入固定した客土仕切り壁１６を用いてあるが、本発明はこれに限らず、ブロック本体１０の両側壁１３，１３間に梁状に架設することによって客土仕切り壁を構成してもよい。
【実施例２】
【００４０】
図８は、実施例２に係る擁壁の要部を示す模式的側断面図であり、図１に示した押さえ部材１７に代えて、打込部材１８（固定部材）で敷部材２０を固定するようにしてある。なお、図中、図１に示した部分に対応する部分には同じ番号を付してその説明を省略する。
【００４１】
図８に示した如く、敷部材２０は、その奥行き方向の寸法が、客土領域Ｒの奥行き方向の寸法より大きくしてあり、敷部材２０の前壁１１側の縁部及び客土仕切り壁１６側の縁部は、それぞれ、前壁１１及び客土仕切り壁１６に当接するように起立させてある。そして、この敷部材２０の少なくとも四隅近傍の位置に、扁平な頭部１８ａと脚部１８ｂとを有する釘状の打込部材１８，１８，（１８，１８）を、胴込め材Ｄ中まで打ち込むことによって固定してある。なお、本実施例では、細骨材を含む胴込め材Ｄが用いられている。
【００４２】
このように、敷部材２０の奥行き方向の両縁部を前壁１１及び客土仕切り壁１６に当接するように起立させてあるため、増水によって客土Ｇが洗掘・流出された場合であっても、敷部材２０と前壁１１との間隙、及び敷部材２０と客土仕切り壁１６との間隙から内部へ流水が浸入するのを防止することができる。また、かかる敷部材２０によって、敷部材２０と前壁１１との間隙、及び敷部材２０と客土仕切り壁１６との間隙から内部へ客土Ｇが流入するのを防止することもできる。
【００４３】
なお、本実施例では、敷部材２０の奥行き方向の両縁部を前壁１１及び客土仕切り壁１６に当接するように起立させてあるが、本発明はこれに限らず、敷部材２０の奥行き方向の一縁部を、前壁１１又は客土仕切り壁１６に当接するように起立させてもよい。更に、敷部材２０の周囲縁部を、その周囲の壁に当接させるように起立させてもよい。
【００４４】
一方、敷部材２０は、その少なくとも四隅近傍の位置に打ち込んだ打込部材１８，１８，（１８，１８）によって固定してあるため、増水によって客土Ｇが洗掘・流出された場合であっても、打込部材１８，１８，（１８，１８）によって敷部材２０が変位することが防止され、胴込め材Ｄの洗掘・流出を防止することができる。
【００４５】
なお、本実施例では、釘状の打込部材１８を用いているが、本発明はこれに限らず、図８に示した如く、頭部１９ａ及び２本の脚部１９ｂ，１９ｂを有する鎹状の打込部材１９、更には３本以上の脚部を有する打込部材を用いてもよい。
【図面の簡単な説明】
【００４６】
【図１】本発明に係る擁壁の模式的部分側断面図である。
【図２】図１に示した擁壁における植栽用ブロックの施工方法を平面視的に説明する説明図である。
【図３】図２及び図１に示した植栽用ブロックのブロック本体の平面図である。
【図４】図２及び図１に示した植栽用ブロックのブロック本体の背面図である。
【図５】図２及び図１に示した植栽用ブロックのブロック本体の一側面図である。
【図６】図２及び図１に示した植栽用ブロックのブロック本体の他側面図である。
【図７】図２及び図１に示した植栽用ブロックのブロック本体の側断面図である。
【図８】実施例２に係る擁壁の要部を示す模式的側断面図である。
【図９】他の打込部材を示す側面図である。
【図１０】従来の擁壁を示す側断面図である。
【符号の説明】
【００４７】
１      植栽用ブロック
７      魚巣ブロック
１０      ブロック本体
１１      前壁
１２      後壁
１３      側壁
１３ａ    開口
１４      接合部
１５      第１溝部
１６      客土仕切り壁
１６ａ    第２溝
１７      押さえ部材
１８      打込部材
１８ａ    頭部
１８ｂ    脚部
１９      打込部材
２０      敷部材
Ｄ      胴込め材
Ｕ      裏込め材
Ｇ      客土
Ｒ      客土領域
【図１】
2005139753.tif 000003
【図２】
2005139753.tif 000004
【図３】
2005139753.tif 000005
【図４】
2005139753.tif 000006
【図５】
2005139753.tif 000007
【図６】
2005139753.tif 000008
【図７】
2005139753.tif 000009
【図８】
2005139753.tif 000010
【図９】
2005139753.tif 000011
【図１０】
2005139753.tif 000012